(57)【要約】ユーザーの意図しない動作の発生を抑制可能な撮像装置を提供する。デジタルカメラ（１）は、ＣＣＤイメージセンサ（１１０）と、液晶モニタ（１２０）と、電子ビューファインダー（１０３）と、タッチパネル（１０５）と、接眼センサ（１０４）と、カメラコントローラ（１４０）と、を有している。ＣＣＤイメージセンサ（１１０）は、被写体の光学像を撮像して画像データとして出力する。電子ビューファインダー（１０３）は、画像データに基づく第１画像を表示可能である。液晶モニタ（１２０）は、画像データに基づく第２画像を表示可能である。タッチパネル（１０５）は、液晶モニタ（１２０）の表面に沿って配置され、第１画像と対応する第１操作を受け付け可能である。接眼センサ（１０４）は、電子ビューファインダー（１０３）と対象物との近接を検知可能である。
2012001749.tif 000002
【特許請求の範囲】
【請求項１】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置され、前記第１画像と対応する第１操作を受け付け可能なタッチパネルと、
前記第１の表示部と対象物との近接を検知可能な近接検知部と、
前記タッチパネルが前記第１操作を受け付けている場合に、前記近接検知部が前記第１の表示部と対象物との近接を検知したときは前記第１操作を有効にし、前記近接検知部が前記第１の表示部と対象物との近接を検知しないときは前記第１操作を無効にする制御部と、
を備える撮像装置。
【請求項２】
前記タッチパネルは、前記第２画像と対応する第２操作を受け付け可能である、
請求項１に記載の撮像装置。
【請求項３】
前記タッチパネルが前記第１操作を受け付けている場合には、前記第２の表示部は表示を停止している、
請求項１または２に記載の撮像装置。
【請求項４】
前記制御部は、第１モードもしくは第２モードで動作するように前記タッチパネルを制御可能であり、
前記第１モードでは、前記タッチパネルは前記第１操作を受け付けており、
前記第２モードでは、前記タッチパネルは前記第２操作を受け付けている、
請求項２または３に記載の撮像装置。
【請求項５】
前記制御部は、前記タッチパネルが前記第１モードで動作している場合に、前記第１の表示部と対象物との近接が前記近接検知部により検知されたときは前記第１操作を有効にし、前記第１の表示部と対象物との近接が前記近接検知部により検知されないときは前記第１操作を無効にする、
請求項４に記載の撮像装置。
【請求項６】
操作を受け付け可能な切替操作受付部をさらに備え、
前記制御部は、前記切替操作受付部に入力された操作に基づいて前記第１モードと前記第２モードとを切り替える、
請求項４または５に記載の撮像装置。
【請求項７】
前記切替操作受付部は、釦スイッチである、
請求項６に記載の撮像装置。
【請求項８】
前記第１の表示部は、接眼部を有する、
請求項１から７のいずれかに記載の撮像装置。
【請求項９】
前記第１の表示部はビューファインダーである、
請求項１から８のいずれかに記載の撮像装置。
【請求項１０】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置されたタッチパネルと、を備える撮像装置に用いられる制御方法であって、
前記タッチパネルが前記第１画像と対応する第１操作を受け付けている場合に、近接検知部により前記第１の表示部と対象物との近接を判定することと、
前記近接検知部により前記第１の表示部と対象物との近接が検知された場合に、制御部により前記第１操作を有効にすることと、
前記近接検知部により前記第１の表示部と対象物との近接が検知されない場合に、前記制御部により前記第１操作を無効にすることと、
を備えた制御方法。
【請求項１１】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置されたタッチパネルと、を備える撮像装置に用いられるプログラムであって、
前記タッチパネルが前記第１画像と対応する第１操作を受け付けている場合に、近接検知部により前記第１の表示部と対象物との近接を判定することと、
前記近接検知部により前記第１の表示部と対象物との近接が検知された場合に、制御部により前記第１操作を有効にすることと、
前記近接検知部により前記第１の表示部と対象物との近接が検知されない場合に、前記制御部により前記第１操作を無効にすることと、
を備えた制御方法をコンピュータに実行させるプログラム。
【発明の詳細な説明】
【技術分野】
【０００１】
本発明は、デジタルカメラ等の撮像装置において、ユーザーの誤操作を防止する技術に関する。
【背景技術】
【０００２】
被写体の画像を取得する撮像装置として、例えばデジタルカメラが知られている。画像等が表示される表示部としてビューファインダーおよび液晶モニタを備えたデジタルカメラにおいて、ビューファインダーの近傍にアイセンサ等の近接検知手段を備えたものがある。近接検知手段はデジタルカメラの制御に利用される。具体的には、ユーザーがビューファインダーへ接眼していることを近接検知手段が検知すると、画像を表示する表示部としてビューファインダーが選択される。また、近接検知手段が接眼を検知していないときは、画像を表示する表示部として液晶モニタが選択される。
このようなデジタルカメラであって、液晶モニタ上にタッチパネルを備えたものが開示されている（例えば、特許文献１参照）。特許文献１に記載のデジタルカメラは、背面ディスプレイと、タッチパネルと、登録手段と、設定手段と、制御手段と、を有している。特許文献１によれば、タッチパネルは、背面ディスプレイとしての液晶モニタに設けられており、タッチパネル操作を受け付け可能である。登録手段により、光学ファインダーを覗く眼の情報が登録される。設定手段により、登録された眼の情報に応じて、タッチパネルのうち接触による入力が可能な入力可能領域が設定される。制御手段が制御を行うので、入力可能領域への接触に応じた動作が実行され、タッチパネルのうち入力可能領域以外の領域への接触に応じた動作は実行されない。例えば、引用文献１に記載のデジタルカメラにおいて、光学ファインダーを覗いているユーザーの顔の一部がタッチパネルにおける入力可能領域以外の領域に接触した場合が考えられる。この場合には、その接触は有効な操作として受け付けられず、接触に応じた動作も行われない。【０００３】
また、特許文献１には、近接検知手段の検知結果に応じて背面ディスプレイへの表示を切り替えること、および、背面ディスプレイが表示状態にあるか否かに関わらずタッチパネル操作を有効にすること、が開示されている。
【先行技術文献】
【特許文献】
【０００４】
【特許文献１】特開２００９−２６０６８１号公報
【発明の概要】
【発明が解決しようとする課題】
【０００５】
このように、近接検知手段から得られる情報に基づいて画像を表示する表示部が自動的に切り替えられる（以下、「自動表示切り替え」ともいう）場合がある。
一方で、デジタルカメラにおいて近接検知手段による自動表示切り替えが行われない場合もある。例えば、デジタルカメラでは、ユーザーが表示切替釦等を操作することにより表示部を選択する（以下、「手動表示切り替え」ともいう）ように設定が行われる場合がある。
さらに、タッチパネル操作が可能なデジタルカメラにおいて、ユーザーが表示部としてビューファインダーを選択し、このときにビューファインダーの表示に対応したタッチパネル操作が有効である場合が考えられる。この場合には、ユーザーがビューファインダーの表示を確認せずにタッチパネルを操作することが可能となる。例えば、背面ディスプレイが表示状態にない場合には、タッチパネルが有効であることにユーザーが気づかず、不用意にタッチパネル表面に触れてしまう可能性がある。その結果、デジタルカメラにおいて、ユーザーの意図しない動作が実行されるおそれがある。つまり、誤操作が行われる可能性がある。【０００６】
ここに開示される技術は、ユーザーの意図しない動作の発生が抑制された撮像装置を提供することを目的とする。
【課題を解決するための手段】
【０００７】
ここに開示される撮像装置は、撮像部と、第１の表示部と、第２の表示部と、タッチパネルと、近接検知部と、制御部と、を備える。撮像部は、被写体の光学像を撮像して画像データとして出力する。第１の表示部は、画像データに基づく第１画像を表示可能である。第２の表示部は、画像データに基づく第２画像を表示可能である。タッチパネルは、第２の表示部の表面に沿って配置され、第１画像と対応した第１操作を受け付け可能である。近接検知部は、第１の表示部と対象物との近接を検知可能である。制御部は、タッチパネルが第１操作を受け付けている場合に、近接検知部が第１の表示部と対象物との近接を検知したときは第１操作を有効にし、近接検知部が第１の表示部と対象物との近接を検知しないときは第１操作を無効にする。
ここで、撮像装置とは、単体での撮影が可能な撮像装置だけでなく、カメラボディを含む概念である。例えば、撮像装置には交換レンズユニットを装着可能な交換レンズ式カメラのカメラボディが含まれる。【０００８】
また、第１操作を有効にするとは、第１操作に応じた処理が撮像装置において実行されることを意味している。第１操作を無効にするとは、第１操作が撮像装置における処理に実質的な影響を及ぼさないことを意味している。
また、タッチパネルが第１操作を受け付けているとは、第１操作が有効である場合に第１操作に応じた処理が撮像装置において速やかに実行される状態を意味している。
この撮像装置では、第１の表示部と対象物とが近接していることを条件として、第１操作が有効になる。したがって、ユーザーが第１の表示部に眼を近づけているときには、第１操作が有効となる。一方で、ユーザーが第１の表示部から眼を遠ざけた場合には、第１操作が無効となる。その結果、ユーザーの意図しない動作の発生を抑制することができる。
【発明の効果】
【０００９】
ここに開示された技術によれば、ユーザーの意図しない動作の発生が抑制された撮像装置を提供することできる。
【図面の簡単な説明】
【００１０】
【図１】第１実施形態に係るデジタルカメラ１をユーザー側から見た背面図
【図２】第１実施形態に係るデジタルカメラ１の主要な回路構成を示すブロック図
【図３】第１実施形態に係るデジタルカメラ１の動作を示すフローチャート
【図４】第１実施形態に係るデジタルカメラ１の動作を示すフローチャート
【発明を実施するための形態】
【００１１】
（第１実施形態）
〔デジタルカメラの概略構成〕
第１実施形態に係るデジタルカメラ１（撮像装置の一例）について説明する。デジタルカメラ１は、カメラボディ１００と、交換レンズユニット２００と、を有する。第１実施形態に於いて、撮像装置はレンズ交換式のミラーレス構造を有するデジタルカメラであり、カメラボディ１００とカメラボディ１００に装着可能な交換レンズユニット２００とを有するカメラシステムでもある。カメラボディ１００は、静止画撮影および動画撮影の両機能を有する。
図１は、カメラボディ１００の外観をユーザー側から見た背面図を示す。ここで、ユーザー側とは、被写体と反対側を意味している。カメラボディ１００には、ＣＣＤ（Ｃｈａｒｇｅ  Ｃｏｕｐｌｅｄ  Ｄｅｖｉｃｅ）イメージセンサ１１０（後述）より取得した画像や設定メニュー画面等を表示する背面ディスプレイとして液晶モニタ１２０（第２の表示部の一例）が搭載されている。
【００１２】
液晶モニタ１２０の前面には液晶モニタ用タッチパネル１０５が設けられている。液晶モニタ１２０には、例えば、予めプログラムされた設定メニュー画面が表示される。タッチパネル１０５は、液晶モニタ１２０の表示を透過させる。ユーザーは、タッチパネル１０５を透過した設定メニュー画面を視認できる。ユーザーは、タッチ操作によってタッチパネル１０５上で設定メニュー画面の項目を選択できる。このように、ユーザーは、タッチパネル１０５により各種の機能を選択および設定する事が可能である。ユーザーはタッチパネル１０５を介して、例えば、シャッタスピード値、絞り値、露出補正値、感度設定値、ホワイトバランスなどの設定を行うことができる。
また、カメラボディ１００は液晶モニタ１２０とは別に、ＣＣＤイメージセンサ１１０より取得された画像等を表示するデバイスとして電子ビューファインダー１０３（第１の表示部の一例）を備えている。なお、以下では、電子ビューファインダーをＥＶＦ（Ｅｌｅｃｔｒｏｎｉｃ  Ｖｉｅｗ  Ｆｉｎｄｅｒ）ともいう。
【００１３】
電子ビューファインダー１０３の近傍には、近接検知部として接眼センサ１０４が配置されている。ユーザーが電子ビューファインダー１０３を覗こうとして接近すると、接眼センサ１０４がユーザーの近接を検出する。ユーザーの近接が検出されると、設定に応じて表示先が液晶モニタ１２０から電子ビューファインダー１０３へ切り替わる。接眼センサ１０４には例えば反射型赤外線センサを用いることができる。ユーザーの顔と電子ビューファインダー１０３との距離が特定範囲内に接近した時、接眼センサ１０４は近接検知信号（以下、検知信号ともいう）をカメラコントローラ１４０（後述）に出力する。自動表示切り替え機能が有効である場合には、カメラコントローラ１４０は、接眼センサ１０４から検知信号を受け取ると、液晶モニタ１２０への表示を停止させ、電子ビューファインダー１０３への表示を行う。
【００１４】
また、電子ビューファインダー１０３への表示を行っている際も、タッチパネル１０５の操作を有効にすることが可能である。このように、デジタルカメラ１は、電子ビューファインダー１０３に表示される画像に対応した操作を、タッチパネル１０５を介して受け付けることができる。この機能を以下ではＥＶＦタッチ機能と称する。ＥＶＦタッチ機能が有効な状態とは、ＥＶＦ操作モード（後述）が選択され、かつ、第１操作（後述）が有効である状態をいう。
これにより、電子ビューファインダー１０３に映し出された設定メニュー画面のタッチ操作や、画像に重ねて表示された操作用キャラクターの操作等をタッチパネル１０５上で行うことが可能となる。
操作用キャラクターとは、デジタルカメラ１に何らかの動作を行わせるためのアイコンである。例えば、クイックメニューの場合、クイックメニューを表す操作用キャラクターが表示される。ユーザーは、そのキャラクターの表示位置（座標）に対応するタッチパネルの座標上で、意思の決定動作を行う。ユーザーの意思の決定動作に対応して、表示されている画面は、ストロボ調整などを行うための予めプログラムされた設定画面（クイックメニュー表示）に変化する。
【００１５】
ここで、意思の決定動作とはユーザーによる直感的な動作であって、デジタルカメラ１へのユーザーの指示を確定させるものである。例えば、意思の決定動作には、身近なものとしては、パーソナルコンピュータのマウスで行うダブルクリック操作などがある。本実施形態での意思の決定動作には、タップ動作およびドラッグ動作が含まれる。タップ動作とは、タッチパネル１０５の表面を軽く叩く動作である。タップ動作により、アイコンをポインティングすることができる。ドラッグ動作とは、タッチパネル１０５の表面をなでる動作である。ユーザーは、タップ動作やドラック動作により、タッチパネル１０５に対してタッチ操作を行うことができる。
デジタルカメラ１では、画像の表示される表示部として液晶モニタ１２０と電子ビューファインダー１０３とのいずれか一方を選択することができる。つまり、液晶モニタ１２０に画像を表示させ、電子ビューファインダー１０３の表示を停止させることができる。また、電子ビューファインダー１０３に画像を表示させ、液晶モニタ１２０の表示を停止させることができる。このような表示部の切り替えは、自動的にあるいは意図的に実行される。
【００１６】
具体的には、デジタルカメラ１は、自動表示切り替え機能と、手動表示切り替え機能と、を有する。自動表示切り替え機能が有効である場合には、液晶モニタ１２０の表示と電子ビューファイダー１０３の表示とが接眼センサ１０４の検知信号に応じて切り替わる。手動表示切り替え機能が有効である場合には、ユーザーが表示切替釦１０６により表示部を切り替える。自動表示切り替え機能が無効である場合に、手動表示切り替え機能が有効であるとも言える。
ユーザーは、設定メニュー画面を介して自動表示切り替え機能もしくは手動表示切り替え機能を選択することができる。例えば、自動表示切り替え機能が有効である場合には、ユーザーは設定メニュー画面から手動表示切り替え機能を選択することにより自動表示切り替え機能を無効化し、手動表示切り替え機能を有効にすることができる。なお、液晶モニタ１２０および電子ビューファインダー１０３に画像が同時に表示されるモードが設けられていても構わない。
【００１７】
図１に示すように、メニュー釦１０２は、カメラボディ１００の背面に配置されている。メニュー釦１０２は、ユーザーによる押下動作を受け付けている。メニュー釦１０２は、カメラコントローラ１４０に接続されている。ユーザーは、メニュー釦１０２を操作することにより、設定メニュー画面を呼び出すことができる。つまり、メニュー釦１０２の押下操作により設定メニュー画面が呼び出され、設定メニュー画面が液晶モニタ１２０もしくは電子ビューファインダー１０３に表示される。なお、ユーザーは、タッチパネル１０５にタッチ操作を行うことにより設定メニュー画面を表示させることもできる。
デジタルカメラ１は、表示切替釦１０６（切替操作受付部の一例、釦スイッチの一例）を有している。図１に示すように、表示切替釦１０６はカメラボディ１００の背面に配置されている。表示切替釦１０６は、ユーザーによる押下操作を受け付けている。表示切替釦１０６はカメラコントローラ１４０に接続されている。ユーザーが自動表示切り替え機能を意図的に無効化した場合は、表示切替釦１０６に押下操作が行われると、画像が表示される表示部が切り替わる。つまり、手動表示切り替え機能が有効である場合には、ユーザーが表示切替釦１０６を押す毎に、液晶モニタ１２０と電子ビューファインダー１０３の表示が交互に切り替わる。
【００１８】
このように、デジタルカメラ１では、手動表示切り替え機能を有効に設定されていれば、表示切替釦１０６の押下操作により、画像表示先が電子ビューファインダー１０３に固定された状態にすることができる。さらに、ＥＶＦタッチ機能を有効な状態（より詳細には、後述するＥＶＦ操作モードが起動した状態）にしておくことができる。このとき、カメラコントローラ１４０は接眼センサ１０４の検知信号を監視しており、電子ビューファインダー１０３をユーザーが覗いていない時にタッチパネル１０５が受け付けた操作を自動的に無効化する。その結果、誤操作および誤作動が防止される。
なお、液晶モニタ１２０は可動式液晶モニタである。本実施形態では、液晶モニタ１２０はバリアングルモニタである。つまり、液晶モニタ１２０は、カメラボディ１００本体に対して二つの異なる軸を中心に回転することができる。また、液晶モニタ１２０の向きに応じて表示方向を縦（ポートレート）や、横（ランドスケープ）、更に、上下逆転に変更する事が可能である。このとき、液晶モニタ１２０とタッチパネル操作との関係も表示方向の変化に応じて変化する。
【００１９】
〔カメラボディの構成〕
図２は、第1実施形態に係る、被写体を撮影するデジタルカメラ１の構成を示す概略ブロック図である。前述のように、デジタルカメラ１は、カメラボディ１００とカメラボディ１００に装着可能な交換レンズユニット２００とを有する。
カメラボディ１００（撮像装置の一例）は、主に、ＣＣＤイメージセンサ１１０と、液晶モニタ１２０と、電子ビューファインダー１０３と、接眼センサ１０４と、タッチパネル１０５と、表示切替釦１０６と、カメラコントローラ１４０と、ボディマウント１５０と、電源１６０と、カードスロット１７０と、を備える。
カメラコントローラ１４０（制御部の一例）は、レリーズ釦１３０等の操作部材を介して入力された指示に応じて、ＣＣＤイメージセンサ１１０等を含むカメラシステム全体を制御する。カメラコントローラ１４０は、演算や制御などの処理を実行するユニットである。カメラコントローラ１４０は、例えば、ＭＰＵ（Ｍｉｃｒｏ  Ｐｒｏｃｅｓｓｉｎｇ  Ｕｎｉｔ）である。
【００２０】
カメラコントローラ１４０は、垂直同期信号をタイミング発生器１１２に送信する。これと並行して、カメラコントローラ１４０は、垂直同期信号に基づいて、露光同期信号を生成する。カメラコントローラ１４０は、生成した露光同期信号を、ボディマウント１５０及びレンズマウント２５０を介して、レンズコントローラ２４０に繰り返し周期的に送信する。カメラコントローラ１４０は、制御動作や画像処理動作の際に、ＤＲＡＭ１４１をワークメモリとして使用する。
カメラコントローラ１４０は、ユーザーが設定する撮影モードにしたがってカメラシステム全体を制御し、撮影動作を行う。撮影モードは、動画撮影モードおよび静止画撮影モードを含む。ユーザーは、静止画／動画選択ダイヤル１３１を操作することにより、動画撮影モードもしくは動作撮影モードを選択することができる。カメラコントローラ１４０は、静止画／動画選択ダイヤル１３１の状態を検出し、検出結果に応じてカメラコントローラ１４０の撮影モードを動画撮影モードおよび静止画撮影モードのいずれかに設定する。
【００２１】
ＣＣＤイメージセンサ１１０（撮像部の一例）は、交換レンズユニット２００を介して入射する被写体の光学像（以下、被写体像ともいう）を撮像して画像データを生成する。生成された画像データは、ＡＤコンバーター１１１でデジタル化される。ＡＤコンバーター１１１でデジタル化された画像データは、カメラコントローラ１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ（Ｊｏｉｎｔ  Ｐｈｏｔｏｇｒａｐｈｉｃ  Ｅｘｐｅｒｔｓ  Ｇｒｏｕｐ）圧縮処理等である。
カメラコントローラ１４０は、ＣＣＤイメージセンサ１１０から出力された画像データに基づいて、表示用画像データを生成する。表示用画像データに基づいて、液晶モニタ１２０に第２画像が表示される。また、表示用画像データに基づいて、電子ビューファインダー１０３に第１画像が表示される。液晶モニタ１２０における第２画像の表示および電子ビューファインダー１０３における第１画像の表示は、カメラコントローラ１４０により制御される。カメラコントローラ１４０は、表示用画像データとキャラクター等を重ね合わせて表示する、所謂ＯＳＤ（Ｏｎ−Ｓｃｒｅｅｎ  Ｄｉｓｐｌａｙ）表示も行う。
【００２２】
ＣＣＤイメージセンサ１１０が動作するタイミングは、タイミング発生器１１２で制御される。ＣＣＤイメージセンサ１１０の動作としては、静止画像の撮像動作、動画像の撮像動作、スルー画像の撮像動作等がある。静止画像の撮像動作と動画像の撮像動作とは、静止画／動画選択ダイヤル１３１のユーザーによる操作に従って切り替えられる。なお、スルー画像とは、撮像後、メモリーカード１７１などの記録装置に記録されない画像である。スルー画像は、主に動画像であり、液晶モニタ１２０等に表示される。スルー画像は、静止画像の構図を決めるために用いられる。
なお、ＣＣＤイメージセンサ１１０は被写体像を画像データに変換する撮像素子の一例である。撮像素子（撮像部の一例）は画像を表す画像データを生成する電子部品であり、ＣＣＤイメージセンサ１１０のほかに、ＣＭＯＳイメージセンサなどの光電変換素子を含む概念である。
【００２３】
液晶モニタ１２０は、カメラコントローラ１４０で画像処理された表示用画像データに基づく第２画像を表示可能である。液晶モニタ１２０は、動画像も静止画像も選択的に表示可能である。つまり、第２画像は動画像もしくは静止画像である。
液晶モニタ１２０は、液晶パネル（図示せず）と、バックライト（図示せず）と、を有する。液晶パネルは、ドライバ（図示せず）により駆動される。ドライバは、第２画像に対応して液晶パネルを駆動する。バックライトは、液晶パネルの背面を照らしている。バックライトが発する光は、液晶パネルを透過する。バックライトが点灯している場合には、ユーザーは第２画像を視認できる。
本実施形態では、液晶モニタ１２０の表示が停止している場合には、液晶パネルおよびバックライトへの電力の供給が停止されている。なお、液晶モニタ１２０の表示を停止させるために、バックライトへの電力の供給を停止し、バックライトを消灯させてもよい。このとき、バックライトが消灯していれば、液晶パネルはドライバにより駆動されていても、液晶モニタ１２０は表示を停止しているといえる。バックライトが消灯していれば、ＥＶＦ操作モードにおいてユーザーが電子ビューファインダー１０３に眼を近付けた場合に、ユーザーが眩しく感じることを抑制することができる。
【００２４】
電子ビューファインダー１０３は、液晶モニタ１２０と同様に、カメラコントローラ１４０で画像処理された表示用画像データに基づく第１画像をファインダー構造内に表示可能である。第１画像は、動画像もしくは静止画像である。本実施形態では、電子ビューファインダー１０３は、液晶モニタ１２０の上側に配置されている。なお、第１画像は第２画像と同じであってもよいし、異なっていてもよい。
電子ビューファインダー１０３は、表示デバイス（図示せず）と、ファインダー光学系（図示せず）と、接眼部１０３ａと、を有する。表示デバイスは例えば小型の液晶パネルであり、第１画像を表示する。ファインダー光学系は、表示デバイスに表示された第１画像を拡大する。接眼部１０３ａは、ユーザーが第１画像を視認するための窓である。本実施形態では、表示デバイスおよびファインダー光学系はファインダー構造に含まれている。ファインダー構造内への外乱光の進入は抑制されている。つまり、ファインダー構造内では、接眼時に外乱光の進入が概ね遮断される。その結果、ユーザーは電子ビューファインダー１０３を覗いて、クリアな画像を確認することができる。電子ビューファインダー１０３に電力が供給されていない場合には、電子ビューファインダー１０３の表示は停止している。
【００２５】
接眼センサ１０４（近接検知部の一例）は、電子ビューファインダー１０３と対象物との近接を検知する。接眼センサ１０４は、電子ビューファインダー１０３への対象物の接近を検知するともいえる。接眼センサ１０４は、例えば赤外線方式の近接検出センサであり、電子ビューファインダー１０３に近設される。ここで、対象物とは接眼センサ１０４が検知可能な大きさおよび材質を有した物体である。対象物とは、例えば、ユーザーの眼や顔、もしくは頭部である。
接眼センサ１０４は、赤外線発光素子（図示せず）と、赤外線受光素子（図示せず）と、を有する。赤外線発光素子は、赤外線を放つ。赤外線受光素子は、赤外線を受光し、検出する。電子ビューファインダー１０３と対象物とが近接している場合は、赤外線発光素子の放った赤外線が対象物（反射対象物ともいう）により反射され、赤外線受光素子により検出される。赤外線受光素子が赤外線を検出すると、接眼センサ１０４は検知信号を出力する。より詳細には、接眼センサ１０４は、電子ビューファインダー１０３に反射対象物が特定距離以内に近づくと検知信号を出力する。具体的には、検知信号は、ハイ（Ｈ）とロウ（Ｌ）の信号変化で表わされる。
【００２６】
カメラコントローラ１４０は、接眼センサ１０４から出力された検知信号を受け付ける。カメラコントローラ１４０は、接眼センサ１０４が出力する検知信号に基づいてデジタルカメラ１を制御する。例えば、自動表示切り替え機能が有効な場合には、カメラコントローラ１４０は、入力された検知信号に基づいて、画像の表示される表示部を切り替える。具体的には、接眼センサ１０４によりユーザーの近接が検知された場合には、カメラコントローラ１４０は液晶モニタ１２０の表示を停止させ、電子ビューファインダー１０３の表示を開始させる。
なお、検知信号に基づいて、電子ビューファインダー１０３とユーザーとの近接の有無が判断される。例えば、接眼センサ１０４からの出力信号がＨからＬに変化した場合には、カメラコントローラ１４０は対象物の近接が検知されたと判断する。接眼センサ１０４からの出力信号がＬの状態に維持されている場合には、カメラコントローラ１４０は対象物の近接が維持されていると判断する。一方で、接眼センサ１０４からの出力信号がＬからＨに変化した場合には、カメラコントローラ１４０は対象物の近接が検知されなかったと判断する。接眼センサ１０４からの出力信号がＨの状態に維持されている場合には、カメラコントローラ１４０は対象物が近接していない状態が維持されていると判断する。
【００２７】
タッチパネル１０５は、液晶モニタ１２０の表示画面の前面に設置される。液晶モニタ１２０の表面に沿ってタッチパネル１０５が配置されているとも言える。タッチパネル１０５は、タッチセンサを有している。タッチセンサは、接触を検知する。また、タッチセンサは接触があったタッチ位置を表す信号を出力する。タッチセンサは、例えば、抵抗膜方式や静電容量方式により実現される。タッチパネル１０５は、カメラコントローラ１４０の制御を受け付けている。
タッチパネル１０５は、様々なタッチ操作を受け付ける。ユーザーは、映像表示ないしＯＳＤ表示の操作用キャラクターに合わせタッチする事により、様々なタッチ操作を行うことができる。
様々なタッチ操作の一例としては、タッチ動作によるフォーカス位置の指定がある。フォーカス位置とは被写体の一部であり、フォーカス位置に焦点が合わされる。ユーザーは、スルー画像表示された被写体の一部にタッチ動作を行う事により、タッチ位置をフォーカス位置として指定することができる。カメラコントローラ１４０は、タッチ位置に相当する被写体の特徴を即座に算出する。算出された特徴に基づいて、カメラコントローラ１４０は、フォーカス位置をタッチされた被写体の一部（つまり、タッチ位置に対応する部分）に設定する。
【００２８】
また、タッチパネル１０５による操作は階層化されている。例えば、ＯＳＤ表示上にはメニュー展開を意味するキャラクター（つまり、アイコン）が表示される。ユーザーがメニュー展開を意味するキャラクターをタッチすると、カメラコントローラ１４０は即座に、画像上にメニューを展開する。ユーザーは展開されたメニューの中から、タッチ操作により所望の項目を選択することができる。
タッチパネル１０５は、第２画像に対応するモニタタッチ操作（以下、第２操作ともいう）を受け付け可能である。また、タッチパネル１０５は、第１画像に対応するＥＶＦタッチ操作（以下、第１操作ともいう）を受け付け可能である。タッチパネル１０５がモニタタッチ操作を受け付けている場合には、タッチパネル１０５はモニタ操作モードで動作している。一方で、タッチパネル１０５がＥＶＦタッチ操作を受け付けている場合には、タッチパネル１０５はＥＶＦ操作モードで動作している。このように、操作モードは、ＥＶＦタッチモードと、モニタ操作モードと、を含んでいる。
【００２９】
ＥＶＦ操作モード（第１モードの一例）では、ユーザーは電子ビューファインダー１０３に表示される第１画像に基づいてタッチパネル１０５を操作する。ＥＶＦ操作モードでは、第１画像上の位置とタッチパネル１０５上の位置とが関連付けられている。したがって、例えば、ユーザーがＥＶＦ操作モードのタッチパネル１０５にタッチ操作を行うと、電子ビューファインダー１０３に表示された第１画像内のアイコンが選択される。このように、ＥＶＦ操作モードでは、タッチパネル１０５は第１操作を受け付ける。つまり、ＥＶＦ操作モードにおいて第１操作が有効である場合には、タッチパネル１０５に第１操作が入力されると、第１操作に応じた処理が速やかに実行される。
モニタ操作モード（第２モードの一例）では、ユーザーは液晶モニタ１２０に表示される第２画像に基づいてタッチパネル１０５を操作する。モニタ操作モードでは、第２画像上の位置とタッチパネル１０５上の位置とが関連付けられている。したがって、モニタ操作モードでは、例えば、ユーザーがタッチパネル１０５にタッチ操作を行うと、液晶モニタ１２０に表示された第２画像内のアイコンが選択される。このように、モニタ操作モードでは、タッチパネル１０５は第２操作を受け付けている。つまり、モニタ操作モードにおいて第２操作が有効である場合には、タッチパネル１０５に第２操作が入力されると、第２操作に応じた処理が速やかに実行される。
【００３０】
本実施形態では、画像を表示する表示部として液晶モニタ１２０が選択されると、デジタルカメラ１はモニタ操作モードに移行する。また、画像を表示する表示部として電子ビューファインダー１０３が選択されると、デジタルカメラ１はＥＶＦ操作モードに移行する。操作モードの移行は、カメラコントローラ１４０により制御される。
自動表示切り替え機能が有効である場合には、接眼センサ１０４の検知結果に基づいて、モニタ操作モードもしくはＥＶＦ操作モードが選択される。つまり、ユーザーの接眼が接眼センサ１０４により検知された場合には、カメラコントローラ１４０によりＥＶＦ操作モードが選択される。ユーザーの接眼が接眼センサ１０４により検知されない場合には、カメラコントローラ１４０によりモニタ操作モードが選択される。
一方で、手動表示切り替え機能が有効である場合には、表示切替釦１０６に入力された操作に基づいて、モニタ操作モードもしくはＥＶＦ操作モードが選択される。
【００３１】
前述のように、表示切替釦１０６はカメラコントローラ１４０に接続されている。カメラコントローラ１４０は、手動表示切り替え機能が有効であるとき（つまり、自動表示切り替え機能が無効のとき）には、表示切替釦１０６に入力された操作に基づいて動作する。具体的には、カメラコントローラ１４０は、表示切替釦１０６が押される毎に、有効な表示部を入れ替える。より詳細には、カメラコントローラ１４０は、表示切替釦１０６が押下されると、液晶モニタ１２０の表示を停止し、電子ビューファインダー１０３の表示を開始する。あるいは、カメラコントローラ１４０は、表示切替釦１０６が押下されると、電子ビューファインダー１０３の表示を停止し、液晶モニタ１２０の表示を開始する。
ここで、カメラコントローラ１４０は、液晶モニタ１２０の表示を開始する一方で、モニタ操作モードを起動する。また、カメラコントローラ１４０は、電子ビューファインダー１０３の表示を開始する一方で、ＥＶＦ操作モードを起動する。
【００３２】
具体的には、カメラコントローラ１４０は、表示切替釦１０６に入力された操作に基づいてモニタ操作モードとＥＶＦ操作モードとを切り替える。具体的には、手動表示切り替え機能が有効である場合には、カメラコントローラ１４０は表示切替釦１０６が押下されたかどうかを検出する。表示切替釦１０６が押下された場合には、カメラコントローラ１４０はタッチパネル１０５の操作モードを切り替える。より詳細には、モニタ操作モードにおいて表示切替釦１０６に押下操作が入力されると、カメラコントローラ１４０は操作モードをＥＶＦ操作モードに移行させる。一方で、ＥＶＦ操作モードにおいて表示切替釦１０６に押下操作が入力されると、カメラコントローラ１４０は操作モードをモニタ操作モードに移行させる。したがって、カメラコントローラ１４０は、モニタ操作モードもしくはＥＶＦ操作モードで動作するようにタッチパネル１０５を制御しているとも言える。
【００３３】
以上のように、ユーザーは、自身の意図および操作に基づいて、液晶モニタ１２０または電子ビューファインダー１０３に表示された設定メニューの選択により、接眼センサ１０４による自動表示切り替えを停止させることができる。このとき、自動表示切り替え機能が停止された場合であっても、表示および操作モードの切り替えを手動で実行することが可能である。
カードスロット１７０は、メモリーカード１７１を装着可能である。カードスロット１７０は、カメラコントローラ１４０からの制御に基づいて、メモリーカード１７１を制御する。メモリーカード１７１は、カメラコントローラ１４０の画像処理により生成された画像データを格納可能である。例えば、メモリーカード１７１は、ＪＰＥＧ画像ファイルを格納できる。また、メモリーカード１７１は、内部に格納された画像データ又は画像ファイルを出力できる。メモリーカード１７１から出力された画像データ又は画像ファイルは、カメラコントローラ１４０で画像処理される。例えば、カメラコントローラ１４０は、メモリーカード１７１から取得した画像データ又は画像ファイルを伸張して表示用画像データを生成する。
【００３４】
電源１６０は、カメラシステムで消費するための電力を供給する。電源１６０は、例えば、乾電池であってもよいし、充電池であってもよい。また、電源１６０は、電源コードにより外部から供給される電力をカメラシステムに供給するユニットであってもよい。
ボディマウント１５０は、交換レンズユニット２００のレンズマウント２５０と機械的及び電気的に接続可能である。ボディマウント１５０は、レンズマウント２５０を介して、交換レンズユニット２００との間で、データを送受信可能である。ボディマウント１５０は、カメラコントローラ１４０から受信した露光同期信号をレンズマウント２５０を介してレンズコントローラ２４０に送信する。また、カメラコントローラ１４０から受信したその他の制御信号をレンズマウント２５０を介してレンズコントローラ２４０に送信する。また、ボディマウント１５０は、レンズマウント２５０を介してレンズコントローラ２４０から受信した信号をカメラコントローラ１４０に送信する。例えば、ボディマウント１５０は、レンズマウント２５０を介してレンズコントローラ２４０からフォーカスレンズ２３０の駆動方法に関する駆動方法情報を受信する。ボディマウント１５０は、受信した駆動方法情報をカメラコントローラ１４０に送信する。駆動方法情報は、交換レンズユニット２００のフラッシュメモリ２４２に記憶されている。また、ボディマウント１５０は、電源１６０から受けた電力をレンズマウント２５０を介して交換レンズユニット２００全体に供給する。
【００３５】
〔交換レンズユニットの構成〕
交換レンズユニット２００は、主に、光学系Ｌと、レンズコントローラ２４０と、レンズマウント２５０、とを備える。交換レンズユニット２００の光学系Ｌは、ズームレンズ２１０と、ＯＩＳレンズ２２０と、フォーカスレンズ２３０と、を含む。
ズームレンズ２１０は、交換レンズユニット２００の光学系Ｌで形成される被写体像の倍率を変化させるためのレンズである。ズームレンズ２１０は、１枚又は複数枚のレンズで構成される。
駆動機構２１１は、ユーザーが操作可能なズームリング等を含む。ズームリングは、例えば、交換レンズユニット２００の外周部に配置される。駆動機構２１１は、ユーザーによる操作をズームレンズ２１０に伝える。具体的には、駆動機構２１１は、ズームリングなどを介して入力されたユーザーの操作に基づいて、ズームレンズ２１０を光学系の光軸方向に沿って移動させる。
【００３６】
検出器２１２は、駆動機構２１１を介してズームレンズ２１０の駆動量を検出する。レンズコントローラ２４０は、検出器２１２における検出結果を取得することにより、ズームレンズ２１０の位置を把握する。このように、レンズコントローラ２４０は、光学系Ｌにおけるズーム倍率を把握することができる。
ＯＩＳレンズ２２０は、交換レンズユニット２００の光学系Ｌで形成される被写体像のぶれを補正するためのレンズである。ＯＩＳレンズ２２０は、デジタルカメラ１のぶれを相殺する方向に移動することにより、ＣＣＤイメージセンサ１１０上の被写体像のぶれを小さくする。ＯＩＳレンズ２２０は、１枚又は複数枚のレンズで構成される。
アクチュエータ２２１は、ＯＩＳ用ＩＣ２２３からの制御を受けて、光学系Ｌの光軸に垂直な面内でＯＩＳレンズ２２０を駆動する。アクチュエータ２２１は、例えば、マグネットと平板コイルとで実現可能である。
【００３７】
位置検出センサ２２２は、光学系Ｌの光軸に垂直な面内におけるＯＩＳレンズ２２０の位置を検出するセンサである。位置検出センサ２２２は、例えば、マグネットとホール素子で実現可能である。ジャイロセンサなどの振れ検出器（図示せず）は、デジタルカメラ１の振れを検出する。
ＯＩＳ用ＩＣ２２３は、位置検出センサ２２２の検出結果及び振れ検出器の検出結果に基づいて、アクチュエータ２２１を制御する。ＯＩＳ用ＩＣ２２３は、レンズコントローラ２４０から振れ検出器の検出結果を得る。また、ＯＩＳ用ＩＣ２２３は、レンズコントローラ２４０に対して、光学的像ぶれ補正処理の状態を示す信号を送信する。
第１の手振れ補正ユニットは、アクチュエータ２２１、位置検出センサ２２２、ＯＩＳ用ＩＣ２２３および振れ検出器を含み、上記のようにデジタルカメラ１の振れを検出すると共にデジタルカメラ１の振れにより生じる画像のぶれを補正する。また、レンズコントローラ２４０は、第１の手振れ補正ユニットの補正動作を制御する。
【００３８】
フォーカスレンズ２３０は、ＣＣＤイメージセンサ１１０上に形成される被写体像のフォーカス状態を変化させるためのレンズである。フォーカスレンズ２３０は、１枚又は複数枚のレンズで構成される。
フォーカスモータ２３３は、レンズコントローラ２４０の制御に基づいて、フォーカスレンズ２３０を光学系Ｌの光軸に沿って進退するよう駆動する。これにより、ＣＣＤイメージセンサ１１０上に形成される被写体像のフォーカス状態を変化させることができる。フォーカスモータ２３３としては、本実施形態では、ＤＣモータを用いることができる。但し、フォーカスモータ２３３はＤＣモータに限定されず、ステッピングモータやサーボモータ、超音波モータなどであってもよい。
第１エンコーダ２３１及び第２エンコーダ２３２は、フォーカスレンズ２３０の駆動状態を示す信号を生成するエンコーダである。第１エンコーダ２３１及び第２エンコーダ２３２は、例えば、フォーカスモータ２３３の回転軸に取り付けられた回転子とフォトカプラーとで実現可能である。ここで、回転子は、所定間隔で孔が開いた円盤体である。フォトカプラーは、回転子の一方面から検出用光を発し、他方面から受光する。したがって、回転子が回転することにより、フォトカプラーのＯＮ／ＯＦＦ状態が相互に切り替わる。
【００３９】
レンズコントローラ２４０は、カウンタ２４３を有している。カウンタ２４３は、フォトカプラーにおいてＯＮ／ＯＦＦ状態の切り替えが何回生じたかをカウントする。
第１エンコーダ２３１から得られる信号と第２エンコーダ２３２から得られる信号とは、互いに位相がずれている。したがって、第１エンコーダ２３１の状態がＯＦＦからＯＮに切り替わったときに、第２エンコーダ２３２から得られる信号を調べることにより、フォーカスレンズ２３０の移動方向を判別することができる。具体的には、第１エンコーダ２３１の状態がＯＦＦからＯＮに切り替わったときの第２エンコーダ２３２の状態としては、ＯＮの状態とＯＦＦの状態とがある。カウンタ２４３は、第２エンコーダ２３２の状態がＯＮのときに、第１エンコーダ２３１の状態がＯＦＦからＯＮに切り替わった場合、これを正転と判断して「＋１」とカウントする。一方で、カウンタ２４３は、第２エンコーダ２３２の状態がＯＦＦのときに、第１エンコーダ２３１の状態がＯＦＦからＯＮに切り替わった場合、これを逆転と判断して「−１」とカウントする。このようにカウント数を加算することにより、レンズコントローラ２４０は、フォーカスレンズ２３０の移動量を把握できる。
【００４０】
レンズコントローラ２４０は、カメラコントローラ１４０からの制御信号に基づいて、ＯＩＳ用ＩＣ２２３やフォーカスモータ２３３などを含む交換レンズユニット２００全体を制御する。例えば、レンズコントローラ２４０は、カメラコントローラ１４０からの制御信号に基づいて、フォーカスモータ２３３を制御する。レンズコントローラ２４０に制御されたフォーカスモータ２３３は、フォーカスレンズ２３０を光学系Ｌの光軸に沿って所定の駆動方法で進退させる。また、レンズコントローラ２４０は、検出器２１２、ＯＩＳ用ＩＣ２２３、第１エンコーダ２３１、第２エンコーダ２３２などから信号を受信して、カメラコントローラ１４０に送信する。レンズコントローラ２４０は、レンズマウント２５０およびボディマウント１５０を介して、カメラコントローラ１４０との送受信を行う。レンズコントローラ２４０は、ＤＲＡＭ２４１をワークメモリとして使用する。
【００４１】
〔本実施形態との対応〕
ＣＣＤイメージセンサ１１０は、撮像部の一例である。液晶モニタ１２０は、第２の表示部の一例である。電子ビューファインダー１０３は、第１の表示部の一例である。接眼センサ１０４は、近接検知部の一例である。カメラコントローラ１４０は、制御部の一例である。
〔デジタルカメラ１の動作〕
図３および図４は、カメラボディ１００における画面表示の切り替え処理を示すフローチャートである。
《自動表示切り替え機能が有効である場合の動作》
図３は、自動表示切り替え機能が有効である場合の標準的な動作を示している。自動表示切り替え機能が有効である場合には、接眼センサ１０４の検知結果に応じて画面表示の切り替え処理が実行される。本実施形態では、電源投入直後に、カメラコントローラ１４０は、液晶モニタ１２０の表示に基づいたタッチ操作を有効な状態とする（ステップＳ１０１）。つまり、ステップＳ１０１では、カメラコントローラ１４０はモニタ操作モードを有効にする。さらに、ステップＳ１０１では、カメラコントローラ１４０は第２操作を有効な状態にする。このとき、第１操作は無効となっている。
【００４２】
カメラコントローラ１４０は、撮像画像等の表示先を液晶モニタ１２０とする（ステップＳ１０２）。具体的には、ステップＳ１０２では、カメラコントローラ１４０は第２画像を液晶モニタ１２０に表示させる。このように、ステップＳ１０２では、液晶モニタ１２０がＯＮの状態となる。
カメラコントローラ１４０は、自動表示切り替え機能が選択されたかどうかを判定する（ステップＳ１０３）。前述のように、ユーザーにより自動表示切り替え機能および手動表示切り替え機能のいずれか一方が選択される。自動表示切り替え機能もしくは手動表示切り替え機能のいずれが選択されているかの情報は、例えば、ＤＲＡＭ１４１や不揮発性メモリ（図示せず）に記憶されている。ステップＳ１０３では、カメラコントローラ１４０は、記憶されている情報に基づいて、自動表示切り替え機能が選択されているかどうかを判定することができる。
【００４３】
ステップＳ１０３で自動表示切り替え機能が選択されている場合には、処理はステップＳ１０４に進む。ステップＳ１０３で手動表示切り替え機能が選択されている場合には、処理はステップＳ２０３（図４）に進む。
自動表示切り替え機能が選択されている場合には、カメラコントローラ１４０は、自動表示切り替え機能を有効にする（ステップＳ１０４）。
カメラコントローラ１４０が自動表示切り替え機能を有効にすると、接眼センサ１０４は、ユーザーが電子ビューファインダー１０３へ接眼しているかどうかを検出する（ステップＳ１０５）。カメラコントローラ１４０が、接眼センサ１０４の検知結果から、ユーザーの電子ビューファインダーへの接眼が検知されていないと判断した場合（つまり、ステップＳ１０５において"ｎ"である場合）は、処理はステップＳ１０６へ進む。
【００４４】
ユーザーの接眼が検知されない場合には、カメラコントローラ１４０は撮像画像等を含む第２画像を液晶モニタ１２０に表示するとともに、電子ビューファインダー１０３への表示を停止する（ステップＳ１０６）。つまり、電子ビューファインダー１０３はＯＦＦの状態にされる。なお、電子ビューファインダー１０３がＯＦＦの状態であった場合には、ＯＦＦの状態が維持される。以下では、同様に、液晶モニタ１２０もしくは電子ビューファインダー１０３をＯＮの状態にする処理において、ＯＮにされるべき表示部が既にＯＮの状態であった場合には、ＯＮの状態が維持される。また、液晶モニタ１２０もしくは電子ビューファインダー１０３をＯＦＦの状態にする処理において、ＯＦＦにされるべき表示部が既にＯＦＦの状態であった場合には、ＯＦＦの状態が維持される。
さらに、カメラコントローラ１４０は、モニタ操作モードを起動させる（ステップＳ１０７）。つまり、ステップＳ１０７では、モニタ操作モードがＯＮの状態とされる。本実施形態では、タッチパネル１０５の全域がユーザーの第２操作を受け付けている。タッチパネル１０５の全域とは、タッチパネル１０５のうち液晶モニタ１２０に表示された第２画像の全域と重複する領域である。このように、モニタ操作モードでは、タッチパネル１０５の全域が操作を入力可能な領域（以下、入力可能領域ともいう）として設定されている。また、ステップＳ１０７では、カメラコントローラ１４０は第２操作を有効な状態とする。
【００４５】
ステップＳ１０７での処理が終了すると、処理はステップＳ１０３へ戻る。その後も、撮影操作や他モードへの強制操作など割り込み操作が行われない限り、ステップＳ１０３での処理、および、接眼センサ１０４による接眼の有無のチェック（ステップＳ１０５）は特定周期毎（例えば、１／６０秒毎）に行われる。ステップＳ１０３〜ステップＳ１０７の処理が繰り返し実行されている状態では、モニタタッチ操作（つまり、第２操作）が有効である。したがって、ユーザーは液晶モニタ１２０に表示された第２画像に基づいて、タッチパネル１０５を介してデジタルカメラ１を操作することができる。
一方、ユーザーが電子ビューファインダー１０３へ接眼していると判断された場合（つまり、ステップＳ１０５において"ｙ"の場合）は、撮像画像等の液晶モニタ１２０への表示が停止されるとともに電子ビューファインダー１０３への画像表示が行われる（ステップＳ１０８）。このように、ステップＳ１０８では、カメラコントローラ１４０は、液晶モニタ１２０での第２画像の表示を停止させる。つまり、カメラコントローラ１４０は液晶モニタ１２０をＯＦＦの状態にする。具体的には、液晶モニタ１２０のバックライトが消灯される。さらに、ステップＳ１０８では、カメラコントローラ１４０は電子ビューファインダー１０３での第１画像の表示を開始させる。つまり、カメラコントローラ１４０は電子ビューファインダー１０３をＯＮの状態とする。
【００４６】
ユーザーの接眼が検知された場合には、カメラコントローラ１４０は、ＥＶＦ操作モードを起動させる（ステップＳ１０９）。言い換えれば、ステップＳ１０９では、カメラコントローラ１４０はＥＶＦ操作モードをＯＮの状態とする。本実施形態では、タッチパネル１０５の全域がユーザーの第１操作を受け付ける。タッチパネル１０５の全域とは、タッチパネル１０５のうち液晶モニタ１２０の表示画面と重複する領域である。このように、ＥＶＦ操作モードでは、タッチパネル１０５の全域が入力可能な領域として設定されている。さらに、ステップＳ１０９では、カメラコントローラ１４０は第１操作を有効な状態とする。
ステップＳ１０９での処理が終了すると、処理はステップＳ１０３に戻る。しかる後も、ステップＳ１０３での処理、および、接眼センサ１０４による接眼の有無のチェック（ステップＳ１０５）が特定周期毎に行われる。ステップＳ１０３〜ステップＳ１０９の処理が繰り返し実行されている状態では、前述したＥＶＦタッチ機能が有効である。したがって、ユーザーは電子ビューファインダー１０３に表示された第１画像に基づいて、タッチパネル１０５を介してデジタルカメラ１を操作することができる。
【００４７】
このように、自動表示切り替え機能が有効である場合、ユーザーが電子ビューファインダー１０３へ接眼していないときには液晶モニタ１２０に画像が表示される。したがって、ユーザーはデジタルカメラ１に電源が入っており動作中であること、ひいてはタッチパネル１０５による操作（より詳細には、第２操作）が有効となっていることを認識できる。
《手動表示切り替え機能が有効である場合の動作》
図４は、ユーザーが手動で画面表示の切り替えを行う手動表示切り替え機能が有効である場合の動作を示すフローチャートである。
前述のように、ステップＳ１０３では、自動表示切り替え機能と手動表示切り替え機能とのいずれが選択されているかが判定される。手動表示切り替え機能が選択されている場合（つまり、ステップＳ１０３において“ｎ”の場合）には、カメラコントローラ１４０は手動表示切り替え機能を有効にする（ステップＳ２０３）。
【００４８】
自動表示切り替え機能が無効化、すなわち手動表示切り替え機能が有効化されたことは、例えば、ＤＲＡＭ１４１に一時的に記憶される。
手動表示切り替え機能が有効になると、カメラコントローラ１４０は、ＥＶＦ操作モードが選択されているかどうかを判定する（ステップＳ２０４）。ステップＳ２０４では、操作モードとしてモニタ操作モードとＥＶＦ操作モードとのいずれが選択されているかが判定される。
具体的には、液晶モニタ１２０が表示されているときに、ユーザーが表示切替釦１０６を押すと、ＥＶＦ操作モードが選択される。ステップＳ２０４でＥＶＦ操作モードが選択されていると判断されると、処理はステップＳ２０５に進む。ステップＳ２０４でモニタ操作モードが選択されていると判断されると、処理はステップＳ２０９に進む。
【００４９】
選択されている操作モードを判定するために、例えば、フラグが設定される。選択されている操作モードに応じてフラグの値は異なっている。一例として、操作モードとしてモニタ操作モードが選択されている場合にフラグの値は「１」であり、操作モードとしてＥＶＦ操作モードが選択されている場合にフラグの値は「０」である。フラグの値は、例えば、ＤＲＡＭ１４１に記憶される。
本実施形態では、ユーザーが表示切替釦１０６を押下すると、フラグの値が変更される。具体的には、表示切替釦１０６に押下操作が入力されると、出力信号がカメラコントローラ１４０に出力される。カメラコントローラ１４０は、表示切替釦１０６から出力信号を受け取ると、フラグの値を変更する。例えば、操作モードをモニタ操作モードからＥＶＦ操作モードに切り替えるために表示切替釦１０６に押下操作が入力されると、カメラコントローラ１４０はフラグの値を「１」から「０」に変更する。
【００５０】
ステップＳ２０４において、カメラコントローラ１４０は、フラグの値を読み出す。カメラコントローラは、フラグの値に基づいて、モニタ操作モードとＥＶＦ操作モードとのいずれが選択されているのかを判定する。
なお、ユーザーがデジタルカメラ１の動作を終了させた時点において選択されていた操作モードが、不揮発性メモリ（図示せず）に記憶されていてもよい。デジタルカメラ１の起動時に手動表示切り替え機能が有効であった場合には、カメラコントローラ１４０はステップＳ２０４において不揮発性メモリに記憶されている操作モードを選択することができる。
ＥＶＦ操作モードが選択されている場合には、カメラコントローラ１４０は、電子ビューファインダー１０３での第１画像の表示を開始するとともに、液晶モニタ１２０での表示を停止する（ステップＳ２０５）。このように、ＥＶＦ操作モードが選択された場合には、カメラコントローラ１４０は液晶モニタ１２０の表示を停止させる。また、ステップＳ２０５では、カメラコントローラ１４０は、ＥＶＦ操作モードを起動する。つまり、カメラコントローラ１４０は、ＥＶＦ操作モードをＯＮの状態にする。なお、ＥＶＦ操作モードまたはモニタ操作モードをＯＮにする処理において、ＯＮにされるべき操作モードが既にＯＮであった場合には、ＯＮの状態が維持される。同様に、ＥＶＦ操作モードまたはモニタ操作モードをＯＦＦにする処理において、ＯＦＦにされるべき操作モードが既にＯＦＦであった場合には、ＯＦＦの状態が維持される。
【００５１】
ＥＶＦ操作モードが起動すると、カメラコントローラ１４０は、ユーザーの接眼が検知されたかどうかを判定する（ステップＳ２０６）。カメラコントローラ１４０は、接眼センサ１０４の監視を特定周期毎に行い、接眼が検知されたかどうかを判定する。
カメラコントローラ１４０は、接眼センサ１０４からの検知信号に基づいてユーザーが電子ビューファインダー１０３へ接眼していると判断した場合（つまり、ステップＳ２０６において"ｙ"の場合）は、第１操作を有効にする（ステップＳ２０７）。ステップＳ２０７での処理が終了すると、処理はステップＳ１０３へ戻る。
ステップＳ１０３〜ステップＳ２０７の処理が繰り返し実行されている状態では、ＥＶＦタッチ機能が有効である。したがって、ユーザーは電子ビューファインダー１０３に表示された第１画像に基づいて、タッチパネル１０５を介してデジタルカメラ１を操作することができる。
【００５２】
カメラコントローラ１４０は、接眼センサ１０４から検知信号が出力されておらず、ユーザーが電子ビューファインダー１０３へ接眼していないと判断した場合（つまり、ステップＳ２０６において"ｎ"の場合）は、第１操作を無効な状態にする（ステップＳ２０８）。このとき、操作モードがＥＶＦ操作モードであるので、タッチパネル１０５は第２操作を受け付けていない。したがって、第２操作は無効な状態である。ステップＳ２０８での処理が終了すると、処理はステップＳ１０３へ戻る。
ステップＳ１０３〜ステップＳ２０８の処理が繰り返し実行されている状態では、ユーザーはＥＶＦタッチ機能を使用できない。また、ＥＶＦ操作モードが選択されているので、第２操作は無効である。したがって、ステップＳ１０３〜ステップＳ２０８の処理が繰り返し実行されている状態では、ユーザーはタッチパネル１０５を介してデジタルカメラ１を操作することができない。
【００５３】
ここで、タッチ操作（具体的には、第１操作もしくは第２操作）を無効にするとは、タッチパネル１０５が受け付けた操作がデジタルカメラ１における処理に実質的な影響を及ぼさないことを意味している。したがって、タッチ操作を無効にするとは、タッチパネル１０５への電源供給を停止すること、タッチパネル１０５が操作されてもタッチパネル１０５が操作に応じた信号を出力しないこと、タッチパネル１０５が受け付けた操作に応じて信号が出力されても、カメラコントローラ１４０がその信号を無視すること、を含む概念である。
仮に、液晶モニタ１２０への表示が行われず、タッチパネル１０５による操作（より詳細には、第１操作）が有効となっている状態を想定すると、ユーザーはデジタルカメラ１に電源が入っており動作中であること、ひいてはタッチパネル１０５による操作が有効となっていることを認識することが困難である。そこでデジタルカメラ１では、ユーザーが電子ビューファインダー１０３を覗いていない時はタッチ操作（具体的には、第１操作）が無効化される。その結果、ユーザーが電子ビューファインダー１０３に接眼していないときに、タッチパネル１０５に対する誤操作を防止することできる。
【００５４】
なお、「タッチパネル１０５がタッチ操作（具体的には、第１操作もしくは第２操作）を受け付けている」とは、タッチ操作が有効である場合にタッチ操作に応じた処理が速やかに実行される状態を意味している。したがって、例えば、ステップＳ２０８においてタッチパネル１０５への電源の供給が停止されていても、タッチパネル１０５は第１操作を受け付けているといえる。操作モードがＥＶＦ操作モードに設定されていれば、第１操作が無効から有効に切り替わった場合には直ちにタッチパネル１０５に電源が供給され、タッチパネル１０５がタッチ操作の検知を開始する。このように、例えば、ステップＳ２０８においてタッチパネル１０５への電源の供給が停止されていても、タッチパネル１０５はＥＶＦ操作モードで動作しているといえる。
図４のフローにおいて、ステップＳ２０４においてモニタ操作モードが選択されていると判定された場合には、処理はステップＳ２０９に進む。カメラコントローラ１４０は、液晶モニタ１２０の表示を開始あるいは継続し、電子ビューファインダー１０３の表示を停止する（ステップＳ２０９）。
【００５５】
ステップＳ２０９の処理が終了すると、カメラコントローラ１４０はモニタ操作モードを起動させる（ステップＳ２１０）。さらに、ステップＳ２１０では、カメラコントローラ１４０は第２操作を有効にする。
ステップＳ２１０の処理が終了すると、処理はステップＳ１０３へ戻る。ステップＳ１０３〜ステップＳ２１０の処理が繰り返し実行されている状態では、モニタタッチ操作（つまり、第２操作）が有効である。したがって、ユーザーは液晶モニタ１２０に表示された第２画像に基づいて、タッチパネル１０５を介してデジタルカメラ１を操作することができる。
〔まとめ〕
ここで、第１実施形態に係るデジタルカメラ１の効果をまとめる。
【００５６】
（１）
このデジタルカメラ１では、タッチパネル１０５は第１画像と対応する第１操作を受け付け可能である。接眼センサ１０４は電子ビューファインダー１０３とユーザーとの近接を検知可能である。タッチパネル１０５が第１操作を受け付けている場合に、接眼センサ１０４が電子ビューファインダー１０３とユーザーとの近接を検知した場合は、カメラコントローラ１４０は第１操作を有効とする。タッチパネル１０５が第１操作を受け付けている場合に、接眼センサ１０４が電子ビューファインダー１０３とユーザーとの近接を検知しない場合は、カメラコントローラ１４０は第１操作を無効にする。
このように、タッチパネル１０５が第１操作を受け付けている場合に、電子ビューファインダー１０３とユーザーとが近接していることを条件として、第１操作が有効になる。したがって、ユーザーが電子ビューファインダー１０３に眼を近付けているときには、第１操作が有効となる。ユーザーが電子ビューファインダー１０３から眼を遠ざけた場合には、第１操作が無効となる。その結果、ユーザーの意図しない動作の発生を抑制することができる。
【００５７】
具体的には、ユーザーが電子ビューファインダー１０３に眼を近付けていないときに、ユーザーが誤ってタッチパネル１０５に触れても、第１操作は無効となる。その結果、誤操作が生じにくくなる。
ここで、第１操作を有効にするとは、第１操作に応じた処理がデジタルカメラ１において実行されることを意味している。第１操作を無効にするとは、第１操作がデジタルカメラ１における処理に実質的な影響を及ぼさないことを意味している。したがって、タッチ操作を無効にするとは、タッチパネル１０５への電源供給を停止すること、タッチパネル１０５が操作されてもタッチパネル１０５が操作に応じた信号を出力しないこと、タッチパネル１０５が受け付けた操作に応じて信号が出力されても、カメラコントローラ１４０がその信号を無視すること、を含む概念である。
【００５８】
また、タッチパネル１０５が第１操作を受け付けているとは、第１操作が有効である場合に第１操作に応じた処理がデジタルカメラ１において速やかに実行される状態を意味している。
（２）
このデジタルカメラ１では、タッチパネル１０５は第２画像と対応する第２操作を受け付け可能であるので、ユーザーはタッチパネル１０５の操作方法を選択することができる。その一方で、タッチパネル１０５が第１操作を受け付けている場合には、誤操作の発生が抑制されている。したがって、誤操作の発生を抑制しつつ、多様な操作方法を実現することができる。このように、ユーザーの利便性を高めることが可能である。
（３）
このデジタルカメラ１では、タッチパネル１０５が第１操作を受け付けている場合には、液晶モニタ１２０は表示を停止している。したがって、消費電力を低減させることができる。
【００５９】
また、ユーザーが電子ビューファインダー１０３に眼を近付けている場合に、液晶モニタ１２０の明るさを抑制することができる。その結果、電子ビューファインダー１０３にユーザーが目を近付けた場合に、ユーザーが眩しく感じることを抑制することができる。
（４）
このデジタルカメラ１では、カメラコントローラ１４０はモニタ操作モードもしくはＥＶＦ操作モードで動作するようにタッチパネル１０５を制御するので、一つのタッチパネル１０５を複数のモードで動作させることができる。その結果、タッチパネル１０５を有効活用することができる。
また、デジタルカメラ１は、押下操作を受け付け可能な表示切替釦１０６を有している。カメラコントローラ１４０は表示切替釦１０６に入力された押下操作に基づいてモニタ操作モードとＥＶＦ操作モードとを切り替える。したがって、ユーザーは表示切替釦１０６の押下によりタッチパネル１０５の操作モードを切り替えることができる。このように、ユーザーは簡単な操作により、状況に応じて操作モードを使い分けることができる。その結果、ユーザーの利便性を高めることが可能である。
【００６０】
（他の実施の形態）
本発明の実施形態は、前述の実施形態に限定されず、本発明の趣旨を逸脱しない範囲で種々の変形および修正が可能である。
（Ａ）
前述の実施形態では、電子ビューファインダー１０３および液晶モニタ１２０の間で表示先を切り替える構成について説明した。前述の実施形態では電子ビューファインダー１０３が用いられていたが、電子ビューファインダー１０３の代わりに光学ビューファインダーが用いられてもよい。レンズユニットから出射する被写体像は、反射ミラーによって反射され光学ビューファインダーに導かれる。ユーザーは光学ビューファインダーを介して被写体像を視認することができる。
【００６１】
ここで、光学ビューファインダーを用いる場合、ファインダー内に、被写体像に重ねて表示可能な液晶パネルを配置し、この液晶パネルにＯＳＤ表示等を行うようにする。接眼センサ１０４の検知信号からユーザーが光学ビューファインダーへ接眼していることを検知すると、カメラコントローラ１４０は、タッチパネル１０５の受け付けた操作を有効にする。ユーザーが光学ビューファインダーを覗きながらタッチパネル１０５を操作すると、入力された操作に応じて光学ビューファインダー内の液晶パネルへの表示内容が変化する。一方、接眼センサ１０４から検知信号が出力されておらず、ユーザーが光学ビューファインダーへ接眼していないと判断したときには、カメラコントローラ１４０はタッチパネル１０５の受け付けた操作を無効にする。
（Ｂ）
前述の実施形態では、ＥＶＦ操作モードにおいて液晶モニタ１２０の表示は停止されていたが、ＥＶＦ操作モードにおいて液晶モニタ１２０に画像が表示されていても構わない。例えば、ＥＶＦ操作モードでは、ＥＶＦ操作モードが選択されていることを表す画像を液晶モニタ１２０に表示することができる。このとき、液晶モニタ１２０の輝度を低く設定することができる。液晶モニタ１２０の輝度を抑制すれば、電子ビューファインダー１０３に眼を近付けたユーザーは、眩しさを感じにくくなる。
【００６２】
（Ｃ）
前述の実施形態では、第２の表示部の一例として液晶モニタ１２０が用いられていたが、第２の表示部は液晶モニタ以外であってもよい。第２の表示部は、画像を表示できるデバイスであればよい。第２の表示部としては、液晶モニタの他にも、有機ＥＬパネル、無機ＥＬパネル、プラズマディスプレイパネル、などが考えられる。
また、前述の実施形態では、電子ビューファインダー１０３に用いられる表示デバイスとして液晶パネルが用いられていたが、表示デバイスは液晶パネル以外であってもよい。電子ビューファインダー１０３に用いられる表示デバイスは、画像を表示できるデバイスであればよい。電子ビューファインダー１０３に用いられる表示デバイスとしては、液晶モニタの他にも、有機ＥＬパネル、無機ＥＬパネル、プラズマディスプレイパネル、などが考えられる。
【００６３】
（Ｄ）
前述の実施形態の各処理はハードウェアにより実現されてもよいし、ソフトウェア（ＯＳ（Ｏｐｅｒａｔｉｎｇ  Ｓｙｓｔｅｍ）、ミドルウェア、あるいは、所定のライブラリとともに実現される場合を含む。）により実現されてもよい。さらに、前述の実施形態の各処理は、ソフトウェアおよびハードウェアの混在処理により実現されても良い。なお、前述の実施形態での処理をハードウェアにより実現する場合、各処理を行うためのタイミング調整を行う必要があるのは言うまでもない。前述の実施形態においては、説明便宜のため、実際のハードウェア設計で生じる各種信号のタイミング調整の詳細については省略している。
また、前述の実施形態における処理方法の実行順序は、必ずしも、前述の実施形態の記載に制限されるものではなく、発明の要旨を逸脱しない範囲で、実行順序が入れ替えられても構わない。
【００６４】
（Ｅ）
前述の実施形態では、動画撮影に対応したデジタルカメラおよびそのカメラボディを例に用いて説明したが、ここで説明した技術はこれ以外の撮像装置にも適用でき、例えばデジタルビデオカメラやデジタルスチルカメラにも適応できる。このように、ここに開示した技術は、静止画撮影のみに対応した撮像装置、動画撮影のみに対応した撮像装置にも適用可能である。
ここで、撮像装置とは、単体での撮影が可能な撮像装置だけでなく、カメラボディを含む概念である。例えば、撮像装置には交換レンズユニットを装着可能な交換レンズ式カメラのカメラボディが含まれる。
（Ｆ）
前述の実施形態では、タッチパネル１０５の全域が入力可能領域に設定されていたが、タッチパネル１０５の一部の領域のみが入力可能領域に設定されても構わない。
【００６５】
（Ｇ）
前述の実施形態では、赤外線方式の接眼センサ１０４を例にして近接検知部について説明したが、近接検知部は対象物と電子ビューファインダー１０３との近接を検知できる機構であればよい。したがって、接眼センサ１０４は、赤外線方式のセンサに限られず、例えば、超音波方式のセンサであっても構わない。
（Ｈ）
前述の実施形態では、表示切替釦１０６に入力された押下動作に基づいて操作モードが切り替えられていたが、操作モードを切り替えるための動作は必ずしも押下動作でなくてもよい。例えば、操作モードの切り替えに使用されるレバーがデジタルカメラ１に設けられていてもよい。この場合には、レバーの回転操作に基づいて操作モードが切り替えられる。
【産業上の利用可能性】
【００６６】
ここに開示された技術によれば、タッチパネルへの誤操作を低減可能であるので、ここに開示された技術はデジタルカメラなどの撮像装置に適用可能であり、有用である。
【符号の説明】
【００６７】
１００  カメラボディ
１０３  電子ビューファインダー
１０３ａ  接眼部
１０４  接眼センサ
１０５  タッチパネル
１０６  表示切替釦
１１０  ＣＣＤイメージセンサ
１２０  液晶モニタ
１４０  カメラコントローラ
２００  交換レンズユニット
【図１】
2012001749.tif 000003
【図２】
2012001749.tif 000004
【図３】
2012001749.tif 000005
【図４】
2012001749.tif 000006
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置され、前記第１画像と対応する第１操作を受け付け可能なタッチパネルと、
前記第１の表示部と対象物との近接を検知可能な近接検知部と、
操作を受け付けて第１の表示部への表示と第２の表示部への表示とを切り替える切り替え操作受付部と、
前記切り替え操作受付部に入力された操作に基づいて前記第１の表示部への表示に切り替えた場合、前記タッチパネルが前記第１操作を受け付けている場合に、前記近接検知部が前記第１の表示部と対象物との近接を検知したときは前記第１操作を有効にし、前記近接検知部が前記第１の表示部と対象物との近接を検知しないときは前記第１操作を無効にする制御部と、
を備える撮像装置。
【請求項２】
前記タッチパネルは、前記第２画像と対応する第２操作を受け付け可能である、
請求項１に記載の撮像装置。
【請求項３】
前記タッチパネルが前記第１操作を受け付けている場合には、前記第２の表示部は表示を停止している、
請求項１または２に記載の撮像装置。
【請求項４】
前記制御部は、第１モードもしくは第２モードで動作するように前記タッチパネルを制御可能であり、
前記第１モードでは、前記タッチパネルは前記第１操作を受け付けており、
前記第２モードでは、前記タッチパネルは前記第２操作を受け付けている、
請求項２または３に記載の撮像装置。
【請求項５】
前記制御部は、前記タッチパネルが前記第１モードで動作している場合に、前記第１の表示部と対象物との近接が前記近接検知部により検知されたときは前記第１操作を有効にし、前記第１の表示部と対象物との近接が前記近接検知部により検知されないときは前記第１操作を無効にする、
請求項４に記載の撮像装置。
【請求項６】
前記第１の表示部は、接眼部を有する、
請求項１から５のいずれかに記載の撮像装置。
【請求項７】
前記第１の表示部はビューファインダーである、
請求項１から６のいずれかに記載の撮像装置。
【請求項８】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置されたタッチパネルと、を備える撮像装置に用いられる制御方法であって、
操作を受け付けて第１の表示部への表示と第２の表示部への表示とを切り替える切り替え操作受付部に入力された操作に基づいて前記第１の表示部への表示に切り替えることと、
前記タッチパネルが前記第１画像と対応する第１操作を受け付けている場合に、近接検知部により前記第１の表示部と対象物との近接を判定することと、
前記近接検知部により前記第１の表示部と対象物との近接が検知された場合に、制御部により前記第１操作を有効にすることと、
前記近接検知部により前記第１の表示部と対象物との近接が検知されない場合に、前記制御部により前記第１操作を無効にすることと、
を備えた制御方法。
【請求項９】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置されたタッチパネルと、を備える撮像装置に用いられるプログラムであって、
前記タッチパネルが前記第１画像と対応する第１操作を受け付けている場合に、近接検知部により前記第１の表示部と対象物との近接を判定することと、
前記近接検知部により前記第１の表示部と対象物との近接が検知された場合に、制御部により前記第１操作を有効にすることと、
前記近接検知部により前記第１の表示部と対象物との近接が検知されない場合に、前記制御部により前記第１操作を無効にすることと、
を備えた制御方法をコンピュータに実行させるプログラム。
【手続補正書】
【提出日】平成25年3月11日(2013.3.11)
【手続補正１】
【補正対象書類名】特許請求の範囲
【補正対象項目名】請求項８
【補正方法】変更
【補正の内容】
【請求項８】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置され、前記第１画像と対応する第１操作を受け付け可能なタッチパネルと、
前記第１の表示部と対象物との近接を検知可能な近接検知部と、
操作を受け付けて第１の表示部への表示と第２の表示部への表示とを切り替える切り替え操作受付部と、
を備える撮像装置に用いられる制御方法であって、
前記切り替え操作受付部に入力された操作に基づいて前記第１の表示部への表示に切り替えることと、
前記タッチパネルが前記第１操作を受け付けている場合に、前記近接検知部により前記第１の表示部と対象物との近接を判定することと、
前記近接検知部により前記第１の表示部と対象物との近接が検知された場合に、前記第１操作を有効にすることと、
前記近接検知部により前記第１の表示部と対象物との近接が検知されない場合に、前記第１操作を無効にすることと、
を備えた制御方法。
【手続補正２】
【補正対象書類名】特許請求の範囲
【補正対象項目名】請求項９
【補正方法】変更
【補正の内容】
【請求項９】
被写体の光学像を撮像して画像データとして出力する撮像部と、
前記画像データに基づく第１画像を表示可能な第１の表示部と、
前記画像データに基づく第２画像を表示可能な第２の表示部と、
前記第２の表示部の表面に沿って配置され、前記第１画像と対応する第１操作を受け付け可能なタッチパネルと、
前記第１の表示部と対象物との近接を検知可能な近接検知部と、
操作を受け付けて第１の表示部への表示と第２の表示部への表示とを切り替える切り替え操作受付部と、
を備える撮像装置に用いられるプログラムであって、
前記切り替え操作受付部に入力された操作に基づいて前記第１の表示部への表示に切り替えることと、
前記タッチパネルが前記第１操作を受け付けている場合に、前記近接検知部により前記第１の表示部と対象物との近接を判定することと、
前記近接検知部により前記第１の表示部と対象物との近接が検知された場合に、前記第１操作を有効にすることと、
前記近接検知部により前記第１の表示部と対象物との近接が検知されない場合に、前記第１操作を無効にすることと、
を備えた制御方法をコンピュータに実行させるプログラム。
【手続補正書】
【提出日】平成25年5月30日(2013.5.30)
【手続補正１】
【補正対象書類名】特許請求の範囲
【補正対象項目名】請求項４
【補正方法】変更
【補正の内容】
【請求項４】
前記制御部は、第１モードもしくは第２モードで動作するように前記タッチパネルを制御可能であり、
前記第１モードでは、前記タッチパネルは前記第１操作を受け付けており、
前記第２モードでは、前記タッチパネルは前記第２操作を受け付けている、
請求項２に記載の撮像装置。
【国際調査報告】
2012001749.tif 000007
2012001749.tif 000008